【事件の表示】
　平成　５年特許願第１５８８５９号「画像処理装置」拒絶査定に対する審判事件［平成　７年　１月２４日出願公開、特開平　７−　２３３７５］について、次のとおり審決する。
【結　論】
　本件審判の請求は、成り立たない。
【理　由】
１．手続の経緯・本願発明
　本願は、平成５年６月２９日に出願されたものであって、その請求項３に係る発明は、平成１３年８月７日付けの手続補正書により補正された明細書及び図面の記載からみて、その特許請求の範囲の請求項３に記載された発明（以下、「本願発明」という。）は、次のとおりのものと認める。
「画像を取得する取得手段と、
　この取得手段により取得された画像を記憶する記憶手段と、
　この記憶手段に記憶されている画像を所定の分割ブロック単位で順次読み出す読出手段と、
　この読出手段により順次読み出された複数の分割画像を同時に表示する表示手段と、
　この表示手段に表示されている複数の分割画像の並び替えを指示する指示手段と、
　この指示手段により並び替えが指示された場合、前記読出手段による分割ブロック単位での読出順序を変更することにより前記表示手段に表示されている分割画像の並び替えを行う制御手段と、
　を具備したことを特徴とする画像処理装置。」
　
２．引用刊行物記載の発明
　これに対して、原査定の拒絶の理由に引用された特開昭６２−９４１８４号公報（昭和６２年４月３０日出願公開。以下、「引用刊行物」という。）は、「分解画パズル装置」に関するものであって、その公報には次の事項が記載されている。
(1) 「本発明は、ジグソーパズルの如くブロック単位に分解され不規則に配列された画をＣＴＲ又は液晶パネルの画面上で移動させ、元の画の形に仕上げるパズル装置に関するものである。」（第１頁右下欄第４行〜第７行）
(2) 「本発明はプログラム変更することなく、分解画パズルの原画を自由に変え、ビデオ装置の映像、テレビ受像機の映像等から静止画を得、それを原画として扱うことが出来る分解画パズル装置を明らかにするものである。・・・（中略）・・・本発明は、ビデオ装置、テレビジョンセット等の画像装置(２)から得た静止画像信号をＡ／Ｄ変換してプログラムの原画情報とする原画入力部(２)と、入力された原画情報を記憶する記憶部(３)と、原画情報をブロック単位に区しブロック記憶部に入っている原画情報をブロック単位で配列変更する制御部(４)と、記憶部に入っている配列変更された画情報を画面に表示する表示部(５)とで構成され、前記制御部(４)は中央制御部(40)と、該中央制御部の制御信号に応じて原画情報をブロック単位に区画すると共にブロック単位の画情報の配列信号を変更する配列処理部(41)と、キー入力装置(６)の入力信号を判断し中央制御部に判断結果を出力するキー入力判断部(43)と、該キー入力判断部の出力にもとずく中央制御部からの制御信号に応じて前記記憶部の原画情報をブロック単位で転送するブロック転送部(42)とを具えていることを特徴とするものである。」（第２頁右上欄第２行〜左下欄第５行）
(3) 「画像処理部(47)は中央制御部(40)からの指令に従ってデジタル画像信号を記憶部(３)の原画記憶部(31)に入力し保存される。
　原画情報はＣＲＤ画面上の蛍光体ドットに合わせて 256×212＝54272ビットの信号として構成されており、中央制御部(40)は原画を例えば４×４＝１６ブロックに区画して、原画記憶部(31)に保存する原画情報のビットを原画の各区画に合わせて分解し、ブロック毎にこれを１群として表示するようにプログラムされる。
　又、記憶容量の限界に対処するため別にブロック配列記憶部(44)を形成し、これは１乃至１６のブロック番号の配列だけを記憶させている。中央制御部(40)が備えるランダム信号発生部（図示せず)からの乱数情報によって配列処理部(41)に対し原画記憶部(31)の原画情報の配列を変更させ、或はブロック配列記憶部(44)に記憶するブロック配列信号に従ってブロック転送部(42)は原画記憶部(31)からの原画情報信号を再編制し、入力されたブロック配列信号に従って原画情報信号を画面記憶部(32)へ入力するものである。
　画面記憶部(32)に記憶するブロック画情報はＣＲＴ制御回路(50)へ送られ、Ｐ／Ｓ変換(51)を経てＣＲＴ(52)の画面に映される。ＣＲＴ(52)の画面は常時は画面記憶部(32)に記憶されている分解され配列変更されたブロック画情報を表示している・・・（中略）・・・中央制御部(40)はブロック画の内、１つの特定番号のブロック画情報を消して空ブロック(11)と為し・・・（中略）・・・キー入力装置（６)の操作によって、あたかも駒を動かす様に隣のブロック画(12)を空ブロック(11)へ移し、空ブロック(11)の位置を移動させることが出来る。これは空ブロック(11)の画面情報と、指定された隣のブロック画(12) の画面情報を交換することによって実行される・・・（中略）・・・入力部(２)を通じて原画記憶部(31)にはテレビジョン受像器或はビデオ装置からの任意の瞬間の静止画が原画情報として保存されており、ゲーム開始によって中央制御部(40)からの乱数信号によって配列処理部(41)は原画情報の配列を変更し、ブロック転送部(42)に対し、変更された配列に従ってブロック画情報を転送することを命令する。
　キー入力装置（６)のキー操作を行なうと、その信号が判断され、次にこれが空ブロック(11)を動かす転送命令であることが判断(48)される。空ブロック転送命令の場合は、次に空ブロックの転送がＣＲＴ画面内で実行可能か否かが判定部(45)において判断され、それが可能な場合はブロック転送部(42)によって原画情報をブロック単位で入れ替え、変更後の画面情報を画面記憶部(32)に記憶する。」（第２頁右下欄第５行〜第３頁左下欄第９行）
　以上の記載事項によると、引用刊行物には、
「ジグソーパズルの如くブロック単位に分解され不規則に配列された画をＣＲＴ又は液晶パネルの画面上で移動させ、元の画の形に仕上げるパズル装置に関し、プログラム変更することなく、分解画パズルの原画を自由に変え、ビデオ装置の映像、テレビ受像機の映像等から静止画を得、それを原画として扱うことができる分解画パズル装置であって、
　ビデオ装置、テレビジョンセット等の画像装置(２)から得た静止画像信号をＡ／Ｄ変換してプログラムの原画情報とする原画入力部(２)と、入力された原画情報を記憶する記憶部(３)と、原画情報をブロック単位に区画しブロック記憶部に入っている原画情報をブロック単位で配列変更する制御部(４)と、記憶部に入っている配列変更された画情報を画面に表示する表示部(５)とで構成され、
　前記制御部(４)は、
原画を記憶部(３)の原画記憶部(31)に保存することを指令し、原画を例えば４×４＝１６ブロックに区画して、原画情報のビットを原画の各区画に合わせて分解し、ブロック毎にこれを１群として表示するようにプログラムされた中央制御部(40)と、
該中央制御部の制御信号に応じて原画情報をブロック単位に分割すると共にブロック単位の画情報の配列信号を変更し、ブロック転送部(42)に対し、変更された配列に従ってブロック画情報を転送することを命令する配列処理部(41)と、
キー入力装置(６)の入力信号を判断し中央制御部に判断結果を出力するキー入力判断部(43)と、
該キー入力判断部の出力にもとづく中央制御部からの制御信号に応じて前記記憶部の原画情報をブロック単位で転送するブロック転送部(42)とを備え、
　画像処理部(47)は中央制御部(40)からの指令に従ってデジタル画像信号を記憶部(３)の原画記憶部(31)に入力し、
　ブロック配列記憶部(44)に記憶するブロック配列信号に従ってブロック転送部(42)は原画記憶部(31)からの原画情報信号を再編制し、入力されたブロック配列信号に従って原画情報信号を画面記憶部(32)へ入力し、
　キー入力装置(６)のキー操作によって、空ブロック(11)の画面情報と、指定された隣のブロック画(12) の画面情報を交換し、あたかも駒を動かす様に隣のブロック画(12)を空ブロック(11)へ移し、空ブロック(11)の位置を移動させることができ、キー入力装置(６)のキー操作を行うと、その信号が判断され、次にこれが空ブロック(11)を動かす転送命令であることが判断(48)され、空ブロック転送命令の場合は、次に空ブロックの転送がＣＲＴ画面内で実行可能か否かが判定部(45)において判断され、それが可能な場合はブロック転送部(42)によって原画情報をブロック単位で入れ替え、変更後の画面情報を画面記憶部(32)に記憶し、
　画面記憶部(32)に記憶するブロック画情報はＣＲＴ制御回路(50)へ送られ、Ｐ／Ｓ変換(51)を経て、分解され配列変更されたブロック画情報をＣＲＴ(52)の画面に映され、ＣＲＴ(52)の画面は常時は画面記憶部(32)に記憶されている分解され配列変更されたブロック画情報を表示している
分解画パズル装置」
の発明（以下、「引用刊行物記載の発明」という。）が記載されているものと認められる。
　
３．対比
　本願発明と引用刊行物記載の発明とを対比すると、
(1) 引用刊行物記載の発明の「原画入力部(２)」は、ビデオ装置、テレビジョンセット等の画像装置(２)から静止画像信号を得るものであるから、本願発明の「取得手段」に相当する。
(2) 引用刊行物記載の発明の「記憶部(３)」において、原画入力部（取得手段）により入力された原画情報を記憶部(３)の「原画記憶部(31)」に記憶しているから、引用刊行物記載の発明の「原画記憶部(31)」は、本願発明の「記憶手段」に相当する。
(3) 引用刊行物記載の発明の「ブロック転送部(42)」は、記憶部の原画記憶部（記憶手段）に記憶されている原画情報をブロック単位で転送するものであり、また、記憶された情報を「転送」する際、「読み出し」を行うことは技術常識であるから、引用刊行物記載の発明の「ブロック転送部(42)」は、本願発明の「読出手段」に相当する。
(4) 引用刊行物記載の発明の「ブロック画」は、本願発明の「分割画像ブロック画」に相当する。また、引用刊行物記載の発明において、原画記憶部（記憶手段）からの原画情報信号はブロック配列信号に従ってブロック転送手段（読出手段）により再編制されて画面記憶部(32)へ入力され、画面記憶部(32)に記憶するブロック画情報はＣＲＴ制御回路(50)へ送られ、Ｐ／Ｓ変換(51)を経て、分解され配列変更されたブロック画情報をＣＲＴ(52)の画面に映され、ＣＲＴ(52)の画面は画面記憶部(32)に記憶されている分解され配列変更されたブロック画情報が表示されている。そして、引用刊行物記載の発明のものは、ジグソーパズルの如くブロック単位に分解され不規則に配列された画をＣＲＴ又は液晶パネルの画面上で移動させ、元の画の形に仕上げる分解画パズル装置であり、その画面上に表示される、上記「ジグソーパズルの如くブロック単位に分解され不規則に配列された画」は、複数のブロック画が同時に表示されていることは明らかであるから、上記「ＣＲＴ(52)」に表示される「分解され配列変更されたブロック画情報」は、ブロック転送手段（読出手段）により転送された（読み出された）複数のブロック画（分割画像）が同時に表示されているといえる。よって、引用刊行物記載の発明の「ＣＲＴ(52)」は、本願発明の「表示手段」に相当する。
(5) 引用刊行物記載の発明の「キー入力装置(６)」の操作によって、空ブロック(11)の画面情報と、指定された隣のブロック画(12) の画面情報を交換し、あたかも駒を動かす様に隣のブロック画(12)を空ブロック(11)へ移し、空ブロック(11)の位置を移動させることができ、また、「キー入力装置(６)」のキー操作を行うと、その信号が判断され、結局、ブロック転送部(42)によって原画情報がブロック単位で入れ替えられることからみて、引用刊行物記載の発明の「キー入力装置(６)」は、本願発明の「指示手段」に相当し、また、引用刊行物記載の発明は、ブロック転送手段（読出手段）による分割ブロック単位での読出順序を変更するかは不明であるものの、「指示手段により並び替えが指示された場合」に、ブロック転送手段（読出手段）によって、「表示手段に表示されている分割画像の並び替えを行う」点で、本願発明の「制御手段」と一致する構成を有しているといえる。
(6)引用刊行物記載の発明の「分解画パズル装置」は、静止画像信号を原画として処理する装置であるから、本願発明の「画像処理装置」に相当する。
　したがって、本願発明と引用刊行物記載の発明とは、
「画像を取得する取得手段と、この取得手段により取得された画像を記憶する記憶手段と、この記憶手段に記憶されている画像を所定の分割ブロック単位で順次読み出す読出手段と、この読出手段により順次読み出された複数の分割画像を同時に表示する表示手段と、この表示手段に表示されている複数の分割画像の並び替えを指示する指示手段と、この指示手段により並び替えが指示された場合、前記読出手段によって分割ブロック単位で読み出し前記表示手段に表示されている分割画像の並び替えを行う制御手段と、を具備したことを特徴とする画像処理装置。」
である点で一致し、分割画像の並び替えを、本願発明は、前記読出手段による分割ブロック単位での読出順序を変更することにより行うのに対し、引用刊行物記載の発明にはこの点につき明確な記載がない点で相違する。
　
４．当審の判断
　上記相違点について検討すると、上記相違点に相当する、記憶手段に記憶した内容を順番を変えて出力するために読出手段による読み出し順序を変更することは、一般に電気技術分野において周知慣用技術（必要ならば、特開昭５９−８４３１５号公報、特開昭６３−２１５２７９号公報、特開昭５９−１７２８９１号公報、特開平４−１９５２３４号公報参照）であり、当該周知慣用技術を引用刊行物記載の発明に採用することは、当業者が容易に推考し得たことである。そして、それにより生ずる効果も予測を越えるものではない。
　
５．むすび
　したがって、本願発明は、引用刊行物記載の発明及び周知慣用技術に基いて当業者が容易に発明をすることができたものであるので、特許法第２９条第２項の規定により特許を受けることができない。
　よって、結論のとおり審決する。